(57)【要約】 【課題】近接する操作ダイアルとの間に、操作釦と表示用LEDをうまく配置することでカメラを小型化することを目的とする。【解決手段】カメラ本体の上面に回転可能に保持され、少なくともカメラ背面側から操作可能にカメラ外観部品から露出し、且つ、カメラ上面側で外観部材と同一面高さで構成された回転式操作部材と、上面側で前記回転式操作部材と同一面高さで構成され、前記回転式操作部材の外形で切り欠かれた形状の操作釦とを備えた。また、操作釦の後方でかつ前記背面から突出せしめたダイアルの操作面側にLEDの点灯用窓を配置した。更に、操作釦の一部から延出し、前記回転式操作部材の側壁及び底部を包括する目隠し部を設けた。また、回転式操作部材および操作釦の位置検知およびスイッチの入切信号を検出するスイッチの搭載された基板と、前記背面のLEDの搭載された基板とを一体に形成し配置した。【選択図】  図１
2015114513.tif 000002
【特許請求の範囲】
【請求項１】
カメラ本体の上面に回転可能に保持され、少なくともカメラ背面側から操作可能に外観部品から露出し、且つ、カメラ上面側で外観部材と同一面高さで構成された回転式操作部材と、上面側で前記回転式操作部材と同一面高さで構成され、前記回転式操作部材の外形で切り欠かれた形状の操作釦とを備えたことを特徴とするカメラの操作部材のレイアウト構造。
【請求項２】
操作釦の後方でかつ前記背面から露出せしめたダイアルの操作面側にLEDの点灯用窓を配置したことを特徴とする請求項１に記載のカメラの操作部材のレイアウト構造。
【請求項３】
回転式操作部材の一部または全部が金属で構成され、操作釦の一部から延出し、前記回転式操作部材の側壁及び底部を包括する目隠し部を設けたことを特徴とする請求項１に記載のカメラの操作部材のレイアウト構造。
【請求項４】
回転式操作部材および操作釦の位置検知およびスイッチの入切信号を検出するスイッチの搭載された基板と、前記背面のLEDの搭載された基板とを一体に形成し配置したことを特徴とする請求項１乃至請求項３の何れか1項に記載のカメラの操作部材のレイアウト構造。
【発明の詳細な説明】
【技術分野】
【０００１】
本発明は、カメラの撮影者が操作しやすく、かつ、カメラの小型化に寄与する操作釦および操作ダイアルおよび表示部材のレイアウトに関する。
【背景技術】
【０００２】
カメラの小型化の需要は益々旺盛であり、機能も増える傾向にある。機能が増えているにも関わらず、カメラを小型化しようとすると操作部材も小型化せざるを得なくなり、操作がしづらいということがあった。また、操作性を重視して操作部材を大型化すると、各操作部材の間に配置した押し釦が押し難くなるということがあった。
【０００３】
従来この種のカメラのレイアウトでは、特許文献１に記載の技術のようにカメラの一面と他の面とに亘って設けられ、上記それぞれの面において押圧動作されることが可能な単一の操作部材を有することを特徴とするカメラが開示されている。
【先行技術文献】
【特許文献】
【０００４】
【特許文献１】特開2002-277940号公報
【発明の概要】
【発明が解決しようとする課題】
【０００５】
然しながら、上記従来例では類似する機能の操作部材のレイアウトには有効であるが、異なる機能の操作部材を近接配置するには不向きである。
【０００６】
本発明は、カメラを小型化することで操作釦同士が接近して操作がし難くなり、操作部材のレイアウト上の制約を受けるのを防止し、大型で押しやすい大きさの釦を近接配置しやすくすることである。特に、異なる機能もしくは押し釦と回転式操作部材とを近接配置しやすくすることである。更に、本発明は、近接する操作ダイアルの間に、操作釦と表示用LEDをうまく配置することでカメラを小型化することを目的とする。
【課題を解決するための手段】
【０００７】
前記課題を解決するために、本発明では、カメラ本体の上面に配置された回転式操作部材と、カメラ背面から該回転式操作部材の一部を突出せしめ、カメラ背面側から操作できるよう構成された外装部材とを備え、該外装部材は、上面側で回転式操作部材と同一面高さで構成され、回転式操作部材と近接配置されその外形の一部を回転式操作部材の外形で切り欠かれた形状で形成された操作釦とを備えた。また、操作釦の後方でかつ前記背面から突出せしめたダイアルの操作面側にLEDの点灯用窓を配置した。
【０００８】
更に、操作釦の一部から延出し、前記回転式操作部材の側壁及び底部を包括する目隠し部を設けた。また、回転式操作部材および操作釦の位置検知およびスイッチの入切信号を検出するスイッチの搭載された基板と、前記背面のLEDの搭載された基板とを一体に形成し配置した。
【発明の効果】
【０００９】
本発明は、カメラを小型化することで操作釦同士が接近して操作がし難くなり、操作部材のレイアウト上の制約を受けるのを防止し、大型で押しやすい大きさの釦を近接配置しやすくすることができる。
【００１０】
また、本発明は、近接する操作ダイアルの間に、操作釦と表示用LEDをうまく配置することでカメラを小型化することができる。
【図面の簡単な説明】
【００１１】
【図１】本発明を実施したカメラの外観斜視図
【図２】発明を実施したカメラの外観上面図
【図３】発明を実施したカメラの図２のＡ−Ａ断面図
【図４】発明を実施したカメラの図２のＢ−Ｂ断面図
【図５】発明を実施したカメラの操作釦（押し釦）の外観斜視図
【図６】発明を実施したカメラの回転操作部材および操作釦等の主要操作部材の外観斜視図
【発明を実施するための形態】
【００１２】
［実施例１］
図１から図６までは、本発明の実施例を表す図であり、同じ番号を付記したものは同じ部材を表す。
【００１３】
図１から図６において、１及び２は公知の回転式操作部材であるところのダイアルであり、本実施例ではモ−ルドの操作ダイアル１および２に各々金属の化粧パネル１ａおよび２aを接着固定してある。
【００１４】
３は公知の操作釦であり、本実施例では、カメラの主電源をオンオフするための釦となっている。
【００１５】
４は公知の液晶表示ユニットであり、撮影画像やその他撮影および再生に関連する表示を行う。本実施例では、ヒンジ軸を備え回転可能に保持された所謂バリアングル液晶で構成されているが、通常の固定型の液晶表示ユニットとしても本発明の実施態様に変更はない。
【００１６】
５は、ＬＥＤ窓であり後述のＬＥＤからの光を背面側の開口部へ導光し、点灯非点灯させることにより外部に拡散表示させ、種々の意味を撮影者に知らせる役目を持つ。本実施例では、記録媒体に画像を記録している間のみ点滅させる所謂アクセスランプとしての機能を持つ。
【００１７】
６は外装部材である所のトップカバ−である。本実施例ではモ−ルドで構成されており、前記回転式操作部材１および２が回転可能に保持されており、前記操作釦が片持ち梁状に押圧可能に保持されている。また、前記ＬＥＤ窓は、該外装部材に接着固定している。
【００１８】
７は前記回転式操作部材１と一体で回転可能に保持されたダイアル接片ホルダである。
【００１９】
８は公知の接片であり、前記ダイアル接片ホルダ７に固着され、前記回転式操作部材１と共に回転可能に前記外装部材６に保持されている。１１は公知のフレキシブル配線基板である。該フレキシブル配線基板上には、前記接片８の対向する場所にパタ−ン開口部が形成され、前記回転式操作ダイアル１および２の停止位置を検知できるようになっている。該フレキシブル配線基板１１は、不図示のカメラの中央処理装置であるＣＰＵを備えた基板にコネクタで接続している。
【００２０】
9は公知のスイッチであり、前記操作釦の押し子により押されることでオン信号に切り替わる。10は公知の発光ＬＥＤである。スイッチ９およびＬＥＤ１０は、前記フレキシブル配線基板上に実装され前記不図示の中央処理装置であるＣＰＵに電気的に接続されている。
【００２１】
図１および図２に示すように、操作釦３は回転式操作部材１に近接して配置してあり、撮影者が釦を押すための外観部分は、前記回転式操作部材１の外形形状で切り取られた形状をしている。このような形状とすることにより、指で押す面積を確保したまま、隣り合う回転式操作部材の回転を妨げることなく配置することができる。
【００２２】
更に、前記回転式操作部材１と前記外装部材６および前記操作釦３の高さは略同じ高さに設定してある。このような構成とすることにより、操作釦３を回転式操作部材に接近して配置しても、操作釦の押圧動作を妨げることなく釦を押すことができる。更に、カメラの背面側には前記回転式操作部材の一部を外装部材６の切り欠き部から露出せしめており、前記回転式操作部材の操作は背面側で指の腹で回転することができる。
【００２３】
また、図４に示すように、前記回転式操作部材１と前記外装部材６および前記操作釦３の高さは略同じ高さに設定してある。このように略同じ高さに埋もれて配置してあり、回転操作部材の回転中心と操作釦の押圧部の中心が略一致させることで、操作釦の方が回転式操作部材より小さいため、操作釦３の背面側には外装部材６との間に余剰空間Ｓが生まれる。本発明では、該余剰空間内にＬＥＤ窓５を配置している。このような構成とすることにより、カメラ背面から認識しやすい位置にＬＥＤ窓を配置でき、より高密度のレイアウトが可能となる。また、前記回転式操作部材を指の腹で回転させるための切り欠きのある背面側の壁にＬＥＤを配置できるために背面側からのＬＥＤの視認性が確実に向上する。
【００２４】
然しながら、回転式操作部材１と操作釦３とを接近して配置しようとすると、図３に示されるように、通常回転式操作部材１の周囲を囲っている構造部材であるはずの外装部材６の立ち壁が作成できなくなる。
【００２５】
図３または図６に示されるように、特に回転式操作部材１の全部が金属で形成されている場合や本実施例のように化粧板１ａのみ金属で形成されている場合には、該金属部材近傍に静電気が印加された場合、接片８に静電気が飛び、その下にあるフレキシブル配線基板１１を通じて不図示の中央処理装置であるＣＰＵに静電気が飛び、カメラの誤動作を誘発する。その場合はカメラを破壊してしまうということがあった。
【００２６】
本実施例では、図５に示すように、操作釦３の一部を回転式操作ダイアル１の外形で切り欠かれた形状とし、そこからのオフセット形状３ｂとしている。また、操作釦３の一部を延出し３ａ形状として回転式操作部材１の底面部まで覆うように形成している。こうすることで、前記金属部材近傍に印加された静電気がカメラ内部に侵入し、カメラが破壊してしまうのを防止することができる。また、カメラ外部から侵入するゴミや水滴を内部に入り難くするという効果もある。
【００２７】
以上、説明したように、本実施例は、カメラを小型化することで操作釦同士が接近して操作がし難くなり、操作部材のレイアウト上の制約を受けるのを防止し、大型で押しやすい大きさの釦を近接配置しやすくすることである。本発明は、近接する操作ダイアルの間に、操作釦と表示用LEDをうまく配置することでカメラを小型化することができる。
【符号の説明】
【００２８】
１、回転式操作部材（ ダイアル）
２、回転式操作部材（ダイアル）
３、操作釦（押し釦）
４、液晶表示ユニット
５、LED窓
６、外装部材（トップカバ−）
７、ダイアル接片ホルダ
８、接片
９、スイッチ
10、ＬＥＤ
11、フレキシブル配線基板
Ｓ、余剰空間
【図１】
2015114513.tif 000003
【図２】
2015114513.tif 000004
【図３】
2015114513.tif 000005
【図４】
2015114513.tif 000006
【図５】
2015114513.tif 000007
【図６】
2015114513.tif 000008